(57)【特許請求の範囲】
【請求項１】
対向する一対の板状摘み部材の後端が結合されてなるピンセットと、
該ピンセットの後端部に設けられ、前記一対の板状摘み部材と逆方向に延びる治療器具とを有し、
前記ピンセットの前記一対の板状摘み部材が結合される後端部に取り付け部が設けられ、
前記一対の板状摘み部材のそれぞれの先端部が所定の方向に屈曲しており、
前記治療機器は、屈曲した探針であって、前記取り付け部に着脱自在、かつ、回動自在に取り付けられた医療器具。
【発明の詳細な説明】
【技術分野】
【０００１】
本発明は、歯科治療等において用いられる医療器具に関する。
【背景技術】
【０００２】
例えば、歯科医療においては、ピンセット、探針、ミラー、エキスカベーター及びストッパーといった様々な医療器具が用いられる。ピンセットは、小さい医療部品等を摘んで限局した部位に取り付ける際に用いられる。探針は、先端を歯に接触させて当該歯の状態を検査するために用いられる。ミラーは、歯の裏側等の正面からでは見えない口腔内を見るために用いられる。エキスカベーターは、虫歯部分や歯石等をすくい取るために用いられる。ストッパーは、歯に詰め物を詰める際に用いられる（例えば、特許文献１乃至４参照）。
【特許文献１】特開平６−２６１９１６号公報
【特許文献２】特開平８−３３６４９号公報
【特許文献３】特開平９−１２２１４７号公報
【特許文献４】特開平１１−１６４８４２号公報
【発明の開示】
【発明が解決しようとする課題】
【０００３】
ところで、通常、医師は、上述したピンセット、探針、ミラー、エキスカベーター及びストッパーといった治療器具を予めトレイ上に判り易い順番に並べて置いておき、歯科治療に際して、そのトレイから適宜必要な治療器具を手に取って使用する。その必要な治療器具を取り替える場合、医師は、手にしている治療器具をトレイに戻した後に、そのトレイから新たな治療器具を取り上げる。このように、治療器具を取り替える場合、医師は、患者の治療部位から一端トレイに視線を移し、その後、その治療部位に視線を戻すことになる。このため、新たな治療器具をその治療部位に持っていく際に、その治療部位を再度探す必要が生じて、その作業が煩雑になる場合がある。歯科治療においては、特に、ピンセットが頻繁に使用されるため、そのピンセットと他の治療器具とを相互に交換する場合が多い。
【０００４】
本発明は、前述したような事情に鑑みてなされたもので、治療の際の作業の煩雑さを解消することのできる医療器具を提供するものである。
【課題を解決するための手段】
【０００５】
本発明の医療器具は、対向する一対の板状摘み部材の後端が結合されてなるピンセットと、該ピンセットの後端部に設けられ、前記一対の板状摘み部材と逆方向に延びる治療器具とを有し、前記ピンセットの前記一対の板状摘み部材が結合される後端部に取り付け部が設けられ、前記一対の板状摘み部材のそれぞれの先端部が所定の方向に屈曲しており、前記治療機器は、屈曲した探針であって、前記取り付け部に着脱自在、かつ、回動自在に取り付けられた構成となる。
【０００６】
この構成によれば、対向する一対の板状摘み部材の後端が結合されてなるピンセットの後端部に、一対の板状摘み部材と逆方向に延びる治療器具を有することにより、医療器具が構成される。従って、ピンセットと他の治療器具とが一体化し、歯科医は、治療箇所から目を離すことなく、手にしている医療器具の方向を必要に応じて変えるだけで、ピンセットと他の治療器具の双方を交互に使用することができる。特に、ピンセットは頻繁に使用されるため、ピンセットと他の治療器具とを一体化させることで、医療器具を使用する際の煩雑さが解消される。
【発明の効果】
【００１１】
本発明によれば、ピンセットと治療器具とが一体化し、歯科医は、治療箇所から目を離すことなく、手にしている医療器具の方向を必要に応じて変えるだけで、ピンセットと治療器具の双方を使用することができ、医療器具を使用する際の煩雑さが解消される。
【発明を実施するための最良の形態】
【００１２】
以下、本発明の実施の形態について、図面を参照して具体的に説明する。図１及び図２は、本発明の実施形態に係る医療器具の斜視図であり、図３は上面図（図３（ａ））及び側面図（図３（ｂ）及び図３（ｃ））である。
【００１３】
図１乃至図３に示すように、医療器具１００は、板状摘み部材１０２、１０４、取り付け部１０６、及び、探針１０８により構成される。これらのうち、板状摘み部材１０２と、板状摘み部材１０４とは対向し、これら板状摘み部材１０２及び１０４の後端が結合されてピンセット１１０が構成される。板状摘み部材１０２の前端１０２ａと、板状摘み部材１０４の前端１０４ａとは、曲折している。
【００１４】
また、板状摘み部材１０２及び１０４の後端には取り付け部１０６が設けられている。更に、この取り付け部１０６の後端には、先端を歯に接触させて当該歯の状態を検査するために用いられる探針１０８が着脱可能に取り付けられている。この探針１０８は、板状摘み部材１０２、１０４とは逆方向に延在している。図４は、取り付け部１０６及び探針１０８の上面図（図４（ａ））及び側面図（図４（ｂ））である。これにより、医療器具１００は、板状摘み部材１０２、１０４からなるピンセット１１０と、探針１０８とが取り付け部１０６を介して一体化した構成となっている。
【００１５】
取り付け部１０６に対する探針１０８の取り付け角度は、歯科医が医療器具１００を回転させて、ピンセット１１０と探針１０８との双方を使用する際の回転の癖等に応じて、適宜設定することができる。例えば、図１及び図３（ｃ）では、板状摘み部材１０２及び１０４の延在方向に対する、当該板状摘み部材１０２の前端１０２ａ及び板状摘み部材１０４の前端１０４ａの屈曲方向と、探針１０８の屈曲方向とが異なるように、当該探針１０８が取り付け部１０６に取り付けられている。
【００１６】
一方、図２及び図３（ｂ）では、板状摘み部材１０２及び１０４の延在方向に対する、当該板状摘み部材１０２の前端１０２ａ及び板状摘み部材１０４の前端１０４ａの屈曲方向と、探針１０８の屈曲方向とが同一となるように、当該探針１０８が取り付け部１０６に取り付けられている。
【００１７】
歯科医は、手にしている医療器具１００を回転させることで、ピンセットの先端と探針１０８の先端とを簡易に治療箇所に当接させることができる。
【００１８】
図５は、探針１０８を含む治療器具ユニットの上面図（図５（ａ））及び側面図（図５（ｂ））である。図５に示すように、治療器具ユニットは、探針１０８と、嵌合部材１０９とにより構成される。
【００１９】
取り付け部１０６は、嵌合部材とスリーブとにより構成される。図６は、取り付け部１０６を構成する嵌合部材の上面図（図６（ａ））及び側面図（図６（ｂ））である。図６に示すように、嵌合部材１１２には、３つの爪状の部材であるコレット１１３が形成され、これらコレット１１３に囲まれた孔部１１４が形成される。治療器具ユニットの嵌合部材１０９がこの孔部１１４に嵌合することによって、探針１０８が取り付け部１０６に取り付けられる。図７は、取り付け部及び探針の上面図（図７（ａ）、側面図（図７（ｂ）、及び、これら上面図及び側面図におけるａ−ａ´線断面図（図７（ｃ））である。図７（ｃ）に示すように、孔部１１４の断面は、円形であるが一部が凹部となっている。この凹部に嵌合部材１０９の端部が入り込むことによって、当該嵌合部材１０９の回転が防止される。なお、孔部１１４をねじ孔とし、嵌合部材１０９をねじとして、探針１０８を取り付け部１０６にねじ止めする構成でもよい。
【００２０】
図８は、取り付け部１０６を構成するスリーブの上面図（図８（ａ））及び側面図（図８（ｂ））である。図８に示すように、スリーブ１１６には、孔部１１８が形成されている。嵌合部材１１２は、この孔部１１８に嵌合する。上述したように、嵌合部材１１２には、３つの爪状の部材であるコレット１１３が形成されている（図６参照）。また、スリーブ１１６における孔部１１８と、嵌合部材１１２の外周の中央部には、それぞれねじ溝が形成されている。スリーブ１１６を回転移動させることで、スリーブ１１６におけるテーパー部分１５１が、嵌合部材１１２を外側から押圧する。これにより、嵌合部材１１２に形成されたコレット１１３が内側に曲折し、嵌合部材１０９のテーパー部分１５２（図５参照）を押圧する。このようにして、スリーブ１１６と嵌合部材１１２とが固定され、更には、嵌合部材１１２と嵌合部材１０９とが固定される。
【００２１】
このように、本実施形態の歯科治療器具１００は、対向する板状摘み部材１０２と板状摘み部材１０４との後端が接続されてピンセット１１０が構成されるとともに、当該ピンセット１１０の後端に設けられた取り付け部１０６に、ピンセット１１０とは逆方向に延在する探針１０８が取り付けられている。従って、ピンセット１１０と探針１０８とが一体化し、歯科医は、治療箇所から目を離すことなく、図９（ａ）及び図９（ｂ）に示すように、手にしている医療器具１００の方向を必要に応じて変えるだけで、ピンセット１１０と探針１０８の双方を交互に使用することができる。特に、ピンセット１１０は頻繁に使用されるため、ピンセット１１０と探針１０８とを一体化させることで、医療器具１００を使用する際の煩雑さが解消される。
【００２２】
なお、上述した実施形態では、ピンセット１１０と探針１０８とを一体化させた医療器具１００について説明したが、ピンセット１１０と他の治療器具とを一体化させてもよい。
【００２３】
図１０は、ミラーを含む治療器具ユニットの上面図（図１０（ａ））及び側面図（図１０（ｂ））である。図１０に示すように、治療器具ユニットは、歯の裏側等の正面からでは見えない口腔内を見るために用いられるミラー１２０と、嵌合部材１０９とにより構成される。上述と同様、この嵌合部材１０９が取り付け部１０６の孔部１１４に嵌合することによって、ミラー１２０が取り付け部１０６に取り付けられ、ピンセット１１０とミラー１２０とが一体化される。
【００２４】
図１１は、エキスカベーターを含む治療器具ユニットの上面図（図１１（ａ））及び側面図（図１１（ｂ））である。図１１に示すように、治療器具ユニットは、虫歯部分や歯石等をすくい取るために用いられるエキスカベーター１２２と、嵌合部材１０９とにより構成される。上述と同様、この嵌合部材１０９が取り付け部１０６の孔部１１４に嵌合することによって、エキスカベーター１２２が取り付け部１０６に取り付けられ、ピンセット１１０とエキスカベーター１２２とが一体化される。
【００２５】
図１２は、ストッパーを含む治療器具ユニットの上面図（図１２（ａ））及び側面図（図１２（ｂ））である。図１２に示すように、治療器具ユニットは、歯に詰め物を詰める際に用いられるストッパー１２４と、嵌合部材１０９とにより構成される。上述と同様、この嵌合部材１０９が取り付け部１０６の孔部１１４に嵌合することによって、ストッパー１２４が取り付け部１０６に取り付けられ、ピンセット１１０とストッパー１２４とが一体化される。
【００２６】
このように、ピンセット１１０と、ミラー１２０、エキスカベーター１２２又はストッパー１２４とが一体化することで、歯科医は、治療箇所から目を離すことなく、手にしている医療器具１００の方向を必要に応じて変えるだけで、ピンセットと、ミラー１２０、エキスカベーター１２２又はストッパー１２４の双方を交互に使用することができる。
【００２７】
なお、上述した実施形態では、探針１０８等は、取り付け部１０６に着脱可能に取り付けられるようにしたが、探針１０８等は、取り付け部１０６に固定されていてもよい。また、上述した実施形態では、歯科医療に用いられる医療器具について説明したが、歯科医療以外の医療に用いられる医療器具についても、同様に本発明を適用することができる。
【産業上の利用可能性】
【００２８】
以上、説明したように、本発明に係る医療器具は、使用する際の煩雑さを解消することができ、医療器具として有用である。
【図面の簡単な説明】
【００２９】
【図１】本発明の実施形態に係る医療器具の第１の斜視図である。
【図２】本発明の実施形態に係る医療器具の第２の斜視図である。
【図３】本発明の実施形態に係る医療器具の上面図及び側面図である。
【図４】取り付け部及び探針の上面図及び側面図である。
【図５】探針を含む治療器具ユニットの上面図及び側面図である。
【図６】取り付け部を構成する嵌合部材の上面図及び側面図である。
【図７】取り付け部及び探針の上面図、側面図及び断面図である。
【図８】取り付け部を構成するスリーブの上面図及び側面図である。
【図９】医療器具を手に取った状態を示す図である。
【図１０】ミラーを含む治療器具ユニットの上面図及び側面図である。
【図１１】エキスカベーターを含む治療器具ユニットの上面図及び側面図である。
【図１２】ストッパーを含む治療器具ユニットの上面図及び側面図である。
【符号の説明】
【００３０】
１００  医療器具
１０２、１０４  板状摘み部材
１０６  取り付け部
１０８  探針
１０９、１１２  嵌合部材
１１０  ピンセット
１１３  コレット
１１４、１１８  孔部
１１６  スリーブ
【図１】
0005247128.tif 000002
【図２】
0005247128.tif 000003
【図３】
0005247128.tif 000004
【図４】
0005247128.tif 000005
【図５】
0005247128.tif 000006
【図６】
0005247128.tif 000007
【図７】
0005247128.tif 000008
【図８】
0005247128.tif 000009
【図９】
0005247128.tif 000010
【図１０】
0005247128.tif 000011
【図１１】
0005247128.tif 000012
【図１２】
0005247128.tif 000013